(57)【要約】【課題】扉が閉じている場合においても仏壇の内部を透視することができ、仏壇内部の安置物に対して不敬にならないように扉を開閉することができ、仏壇の荘厳性を演出することができ、埃や虫の侵入を阻止することのできる仏壇を提供すること。【解決手段】仏壇の前面の開口７を開閉自在に覆う扉９と、この扉９を開閉駆動する扉開閉装置１０とを有する仏壇において、前記扉９は、前記開口７を中央から左右に開閉する左右一対の扉体１１Ｌ、１１Ｒを有し、当該左右の扉体１１Ｌ、１１Ｒが、閉状態において前記開口７の少なくとも中央部分において前側の扉の背面と後側の扉の前面とが対面するように前後に重なるとともに、当該重なり部分の少なくとも一部が内部を透視できる素材１４Ｌｂ、１４Ｒｂによって形成されていることを特徴とする。【選択図】図１
2008054807.tif 000002
【特許請求の範囲】
【請求項１】
仏壇の前面の開口を開閉自在に覆う扉と、この扉を開閉駆動する扉開閉装置とを有する仏壇において、
前記扉は、前記開口を中央から左右に開閉する左右一対の扉体を有し、当該左右の扉体が、閉状態において前記開口の少なくとも中央部分において前側の扉の背面と後側の扉の前面とが対面するように前後に重なるとともに、当該重なり部分の少なくとも一部が内部を透視できる素材によって形成されていることを特徴とする仏壇。
【請求項２】
前記左右の扉体は、それぞれ左右方向に分割された複数の扉板によって形成されていることを特徴とする請求項１に記載の仏壇。
【請求項３】
前記左右の扉体の最も中央側に位置する扉板が、閉状態において前記開口の少なくとも中央部分において前側の扉の背面と後側の扉の前面とが対面するように前後に重なるとともに、当該重なり部分の少なくとも一部が内部を透視できる透明または半透明の素材によって形成されていることを特徴とする請求項２に記載の仏壇。
【発明の詳細な説明】
【技術分野】
【０００１】
本発明は、仏壇に係り、特に左右に開閉される扉を備えた仏壇に関する。
【背景技術】
【０００２】
一般に、仏壇には種々の形式のものが用意されており、近年においては、仏壇の前面の開口に左右に開閉自在に設けられている扉を扉開閉装置によって自動的に開閉させる仏壇が多く提案されている（特許文献１参照）。
【０００３】
この種の仏壇の従来例としては、図６（ａ）（ｂ）に示すように、箱状の仏壇５１の前面の開口５２に左右対称型の扉５３Ｌ、５３Ｒが観音開き状に設けられている。各扉５３Ｌ、５３Ｒはそれぞれ左右に分割された２枚の扉板５４、５４によって形成されており、図示しない扉開閉装置によって、図６（ａ）に示すように、両翼を広げるように開放されたり、同図（ｂ）に示すように、折り畳むようにして開放される。
【０００４】
【特許文献１】特開平１１−４６９７１号公報
【発明の開示】
【発明が解決しようとする課題】
【０００５】
従来の扉５３Ｌ、５３Ｒは、左右対称型に形成されているとともに、開閉時において、左右の扉５３Ｌ、５３Ｒの中央側の端部同士を対面させて会合させるように形成されている。
【０００６】
本来的に、本尊（仏像は曼陀羅）あるいは位牌は仏壇５１内の中央部分に安置されるために、図６に示すような構造の扉５３Ｌ、５３Ｒにおいては、開く際に互いに離れる扉５３Ｌ、５３Ｒによって中央から安置物を割るような印象を礼拝者に与え、閉まる際には扉５３Ｌ、５３Ｒの端部で内部の安置物を左右から圧迫するような印象を礼拝者に与えてしまうので、荘厳さを失うばかりか、失礼で申し訳ない感情を抱かせていた。また、左右の扉５３Ｌ、５３Ｒの間より埃や虫が仏壇５１内に入るという不都合もあった。
【０００７】
本発明はこれらの点に鑑みてなされたものであり、扉が閉じている場合においても仏壇の内部を透視することができ、左右に開閉する扉の中央部の端部の存在感が薄れ、これにより扉の開閉の際に更に安置物を割ったり、圧迫したりする印象を和らげることができ、仏壇内部の安置物に対して不敬にならないように扉を開閉することができ、また、内部照明を扉の開閉と連動して点灯・消灯させること等によって仏壇の荘厳性を演出することができ、また、埃や虫の侵入を阻止することのできる仏壇を提供することを目的とする。
【課題を解決するための手段】
【０００８】
前記目的を達成するため、本発明に係る仏壇は、仏壇の前面の開口を開閉自在に覆う扉と、この扉を開閉駆動する扉開閉装置とを有する仏壇において、前記扉は、前記開口を中央から左右に開閉する左右一対の扉体を有し、当該左右の扉体が、閉状態において前記開口の少なくとも中央部分において前側の扉の背面と後側の扉の前面とが対面するように前後に重なるとともに、当該重なり部分の少なくとも一部が内部を透視できる素材によって形成されていることを特徴とする。
【０００９】
本発明の仏壇によれば、左右の扉体が、閉状態において開口の少なくとも中央部分において前側の扉の背面と後側の扉の前面とが対面するように前後に重なるとともに、当該重なり部分の少なくとも一部が内部を透視できる素材によって形成されているので、扉が閉じている場合においても仏壇の内部を透視することができ、左右に開閉する扉の中央部の端部の存在感が薄れ、これにより扉の開閉の際に安置物を割ったり、圧迫したりする印象を和らげることができ、仏壇内部の安置物に対して不敬にならないように扉を開閉することができ、また、内部照明を扉の開閉と連動して点灯・消灯させること等によって仏壇の荘厳性を演出することもでき、埃や虫の侵入を阻止することもできる。
【００１０】
また、本発明の仏壇においては、左右の扉体をそれぞれ左右方向に分割された複数の扉板によって形成するとよい。これにより、扉を観音開き状に形成することができる。
【００１１】
また、本発明の仏壇においては、左右の扉体の最も中央側に位置する扉板が、閉状態において開口の少なくとも中央部分において前側の扉の背面と後側の扉の前面とが対面するように前後に重なるとともに、当該重なり部分の少なくとも一部が内部を透視できる透明または半透明の素材によって形成されていることを特徴とする。
【００１２】
これにより本発明の仏壇はより品位の高い荘厳性を演出することができる。
【発明の効果】
【００１３】
以上述べたように、本発明に係る仏壇によれば、扉が閉じている場合においても仏壇の内部を透視することができ、左右に開閉する扉の中央部の端部の存在感が薄れ、これにより扉の開閉の際に更に安置物を割ったり、圧迫したりする印象を和らげることができ仏壇内部の安置物に対して不敬にならないように扉を開閉することができ、また、内部照明を扉の開閉と連動して点灯・消灯させること等によって仏壇の荘厳性を演出することができ、埃や虫の侵入を阻止することができるという優れた効果を発揮することができる。
【発明を実施するための最良の形態】
【００１４】
以下、本発明に係る仏壇の実施形態を図１から図５により説明する。
【００１５】
図１から図５は本発明の仏壇の一実施形態を示している。
【００１６】
本実施形態の仏壇は、図１から図５に示すように、２枚の外側板１、１の上下に渡した天板２および底板３の間に、２枚の内側板５、５と奥板６とを設けて箱状で前面に開口７を有する仏壇本体８を設けている。開口７の前面部分には、開口７を開閉自在に覆う扉９が設けられており、天板２の上面にこの扉９を開閉駆動する扉開閉装置１０が設けられている。
【００１７】
更に説明すると、本実施形態においては、扉９は、開口７を中央から左右に開閉する左右一対の扉体１１Ｌ、１１Ｒを有している。この左右の扉体１１Ｌ、１１Ｒは、図１および図４の実線に示すように、閉状態において開口７の少なくとも中央部分ａにおいて前後に重なるとともに、当該重なり部分の少なくとも一部が内部を透視できる素材、例えば、透明若しくは半透明なガラス板、樹脂板等によって形成されている。各扉体１１Ｌ、１１Ｒとしては、それぞれ左右方向に複数の扉板１２Ｌａ、１２Ｌｂ、１２Ｒａ、１２Ｒｂに分割するとよく、本実施形態においては外側の扉板１２Ｌａ、１２Ｒａと内側の扉板１２Ｌｂ、１２Ｒｂとの２枚によって形成されている。外側の扉板１２Ｌａ、１２Ｒａは、それぞれ基端部を内側板５、５の前端部に図示しないヒンジをもって鉛直軸回りに回動自在に取り付けられている。内側の扉板１２Ｌｂ、１２Ｒｂは、それぞれ基端部を外側の扉板１２Ｌａ、１２Ｒａの前端部にヒンジ１３Ｌ、１３Ｒをもって鉛直軸回りに回動自在に取り付けられている。各扉体１１Ｌ、１１Ｒが３枚以上の扉板より形成される場合には、同様にして各扉板を連結して増設するとよい。左右の扉体１１Ｌ、１１Ｒの最も中央側に位置する扉板、即ち本実施形態の内側の扉板１２Ｌｂ、１２Ｒｂは、外側の本体部分１４Ｌａ、１４Ｒａの内側に透明若しくは半透明なガラス板、樹脂板等からなる透視用板部分１４Ｌｂ、１４Ｒｂを取り付けて形成されており、各透視用板部分１４Ｌｂ、１４Ｒｂが閉状態において開口７の少なくとも中央部分ａにおいて前後に重なるように形成されている。これにより、内側の扉板１２Ｌｂ、１２Ｒｂは、閉状態において開口７の少なくとも中央部分ａにおいて各透視用板部分１４Ｌｂ、１４Ｒｂが前後に重なるとともに、当該重なり部分の少なくとも一部（本実施形態においては上下方向を含めた全部）において内部を透視可能とさせている。この透視用板部分１４Ｌｂ、１４Ｒｂの形状は、仏壇本体８内に納める本尊等の種類や、設計コンセプトに従って変更するとよい。また、透視用板部分１４Ｌｂ、１４Ｒｂを除く板材の素材は、通常は木製とするとよく、表面に対する装飾を必要に応じて施すとよい。
【００１８】
扉開閉装置１０としては、公知の構成のものを用いることができる。本実施形態においては、図５に示すように、内側の扉板１２Ｌｂ、１２Ｒｂからそれぞれ上向きに突設させた摺動軸１５Ｌ、１５Ｒを、天板２に貫通形成した案内溝１６Ｌ、１６Ｒを挿通させ、扉開閉装置１０の２本のアーム１７Ｌ、１７Ｒによって各摺動軸１５Ｌ、１５Ｒを移動させることにより、左右の扉体１１Ｌ、１１Ｒを開閉させるように形成されている。更に説明すると、天板２の上面に左右に長いフレーム１８が固着され、当該フレーム１８の左右に回転自在に取り付けた駆動輪１９と従動輪２０との間に無端状のタイミングベルト２１がかけ回されており、駆動輪１９が駆動モータ２２によって正逆回転させられるようになっている。タイミングベルト２１の上下辺部分にはそれぞれ取付ステー２３Ｌ、２３Ｒが固着されており、各摺動軸１５Ｌ、１５Ｒとの間にアーム１７Ｌ、１７Ｒの両端部を回動自在に枢着して連結されている。フレーム１８の上辺部分には、取付ステー２３Ｌと接触することにより扉９の開閉動作を停止させる閉時リミットスイッチ２４および開時リミットスイッチ２５が固着されている。
【００１９】
次ぎに、本実施形態の作用を説明する。
【００２０】
図１、図４および図５は本実施形態の仏壇の扉９の閉状態を示している。
【００２１】
本実施形態によれば、左右の扉体１１Ｌ、１１Ｒの閉状態において、開口７の少なくとも中央部分ａにおいて内側の扉板１２Ｌｂ、１２Ｒｂの各透視用板部分１４Ｌｂ、１４Ｒｂが前側の扉の背面と後側の扉の前面とが対面するように前後に重なるとともに、透明若しくは半透明なガラス板、樹脂板等からなる内部を透視できる素材によって形成されているので、扉９が閉じている場合においても、仏壇の内部を透視することができ、左右に開閉する扉の中央部の端部の存在感が薄れ、これにより扉９の開閉の際に安置物を割ったり、圧迫したりする印象を和らげることができ、仏壇内部の安置物に対して不敬にならないように扉９を開閉することができる。更に、仏壇内部に設けた照明装置（図示せず）によって本尊等をライトアップしたり、内部照明を扉９の開閉と連動して点灯・消灯させること等によって品位の高い仏壇の荘厳性を演出することができ、また、埃や虫の侵入を阻止することもできる。
【００２２】
扉９の開動作
図５に示すように、扉９の閉状態においては、２本のアーム１７Ｌ、１７ＲはＸ字状にクロスした状態とされている。
【００２３】
この状態からリモコン等の操作手段（図示せず）によってモータ２２を駆動させて駆動輪１９を図５において反時計回りに回転させると、タイミングベルト２１も反時計回りに回動し、一方の取付ステー２３Ｌが左向きに移動し、他方の取付ステー２３Ｒが右向きに移動する。これに伴って、両アーム１７Ｌ、１７Ｒに連結されている摺動軸１５Ｌ、１５Ｒがそれぞれ案内溝１６Ｌ、１６Ｒに沿って左右方向に移動させられる。これによって左右の扉体１１Ｌ、１１Ｒが、扉板１２Ｌａ、１２Ｌｂ、１２Ｒａ、１２Ｒｂを折り畳むようにしながら次第に開放されて行く。図２および図４の破線は扉板１２Ｌａ、１２Ｌｂ、１２Ｒａ、１２Ｒｂの途中開放状態を示し、図３および図４の破線は扉板１２Ｌａ、１２Ｌｂ、１２Ｒａ、１２Ｒｂの完全開放状態を示している。この完全開放状態になると、取付ステー２３Ｌが開時リミットスイッチ２５に当接して、モータ２２への通電を停止させて、開動作が終了される。
【００２４】
扉９の閉動作
図３の扉９の完全開放状態からリモコン等の操作手段によってモータ２２を逆回転駆動させて駆動輪１９を図５において時計回りに回転させると、タイミングベルト２１も時計回りに回動し、一方の取付ステー２３Ｌが右向きに移動し、他方の取付ステー２３Ｒが左向きに移動する。これに伴って開動作時と逆動作によって、左右の扉体１１Ｌ、１１Ｒが、扉板１２Ｌａ、１２Ｌｂ、１２Ｒａ、１２Ｒｂを広げるようにしながら閉じられて行き、完全閉状態になると、取付ステー２３Ｌが閉時リミットスイッチ２４に当接して、モータ２２への通電を停止させて、開動作が終了される。
【００２５】
また、モータ２２と駆動輪１９との間には図示しないクラッチ手段が介在させられており、扉９を必要に応じて手動によって開閉させることができる。
【００２６】
なお、本発明は前記実施形態に限定されるものではなく、必要に応じて種々変更することが可能である。
【図面の簡単な説明】
【００２７】
【図１】本発明の仏壇の一実施形態を示し、扉の閉状態における正面図
【図２】図１の実施形態の扉の途中開放状態を示す正面図
【図３】図１の実施形態の扉の開状態を示す正面図
【図４】図１の４−４線に沿った断面図
【図５】本発明の扉開閉装置を示す斜視図
【図６】（ａ）および（ｂ）はそれぞれ従来の仏壇の扉の開閉状態を示す平面図
【符号の説明】
【００２８】
７  開口
８  仏壇本体
９  扉
１０  扉開閉装置
１１Ｌ、１１Ｒ  左右の扉体
１２Ｌａ、１２Ｌｂ、１２Ｒａ、１２Ｒｂ  扉板
１４Ｌｂ、１４Ｒｂ  透視用板部分
【図１】
2008054807.tif 000003
【図２】
2008054807.tif 000004
【図３】
2008054807.tif 000005
【図４】
2008054807.tif 000006
【図５】
2008054807.tif 000007
【図６】
2008054807.tif 000008